(57)【要約】【課題】  取り付けが簡単で低コスト化を可能とした携帯電話を用いた防犯方法および装置を提供する。【解決手段】  防犯対象の開閉体Ｄの開放と連動して、着脱可能に保持された携帯電話１を発信させて報知する防犯装置であって、開閉体Ｄに接続された移動体５ａを、前記開閉体Ｄの開放の引張力によって移動させる移動操作部５と、前記移動体５ａに連動して、予め携帯電話１の特定電話番号発信用ボタンα、β、γの位置と対向する位置になるように設けられた打釦体９ａ、９ｂ、９ｃを順次動作させて、該特定電話番号発信用ボタンα、β、γを順次押し、携帯電話１の特定電話番号を発信させる打釦作動部７とを備えている。【選択図】        図１
2006228186.tif 000002
【特許請求の範囲】
【請求項１】
防犯対象の開閉体の開放と連動して、着脱可能に保持された携帯電話を発信させて報知する、携帯電話を用いた防犯方法であって、
前記開閉体に接続された移動体を、該開閉体の開放の引張力によって移動させ、
前記移動体に連動して、予め携帯電話の特定電話番号発信用ボタンの位置と対向する位置になるように設けられた打釦体を順次動作させて、該特定電話番号発信用ボタンを順次押し、携帯電話の特定電話番号を発信させる、
携帯電話を用いた防犯方法。
【請求項２】
防犯対象の開閉体の開放と連動して、着脱可能に保持された携帯電話を発信させて報知する、携帯電話を用いた防犯装置であって、
前記開閉体に接続された移動体を、該開閉体の開放の引張力によって移動させる移動操作部と、
前記移動体に連動して、予め携帯電話の特定電話番号発信用ボタンの位置と対向する位置になるように設けられた打釦体を順次動作させて、該特定電話番号発信用ボタンを順次押し、携帯電話の特定電話番号を発信させる打釦作動部と、
を備えた携帯電話を用いた防犯装置。
【請求項３】
請求項２において、前記打釦作動部は、打釦体が回転可能に設けられ、前記移動体の移動に伴って順次打釦体を回転動作させることにより、携帯電話の特定電話番号発信用ボタンを順次押すものである携帯電話を用いた防犯装置。
【発明の詳細な説明】
【技術分野】
【０００１】
本発明は、車両のドア、家のドアや窓などのような防犯対象の開閉体の開放と連動して、着脱可能に保持された該携帯電話を発信させて報知する、携帯電話を用いた防犯方法および装置に関する。
【背景技術】
【０００２】
従来から、車両のドア、家のドアや窓などが不法に開放された場合に、センサがドアなどの開放を検知し、この検知信号に基づくコントローラによる電気制御で発信、警報する防犯装置が知られている。この一例として、車両が盗難されたときに所定の信号処理を行って警報を発する盗難警報装置が挙げられる（例えば、特許文献１）。
【特許文献１】特開平７−２２４５６４号公報
【発明の開示】
【発明が解決しようとする課題】
【０００３】
しかし、従来装置は、電気制御を含むものであるので、個人で簡単に取り付けることができず、また装置自体が高価であるという問題があった。また、ドアなどが不法に開放されたとき大きな警告音が鳴るため、近隣に騒音をもたらすという問題もあった。
【０００４】
本発明は、前記問題点を解決して、取り付けが簡単で低コスト化を可能とした携帯電話を用いた防犯方法および装置を提供することを目的とする。
【課題を解決するための手段】
【０００５】
前記目的を達成するために、本発明にかかる携帯電話を用いた防犯方法および装置は、防犯対象の開閉体の開放と連動して、着脱可能に保持された携帯電話を発信させて報知するものであって、前記開閉体に接続された移動体を、該開閉体の開放の引張力によって移動させ、前記移動体に連動して、予め携帯電話の特定電話番号発信用ボタンの位置と対向する位置になるように設けられた打釦体を順次動作させて、該特定電話番号発信用ボタンを順次押し、携帯電話の特定電話番号を発信させるものである。
【０００６】
この構成によれば、開閉体の開放の引張力によって携帯電話の特定電話番号発信用ボタンが順次押されて当該特定電話番号の電話をかけるので、開閉体が不法開放されたことを機械的作動により報知できる。したがって、従来のように電気制御を使用しないことから、取り付けが簡単で低コスト化が可能となる。また、大きな警告音を発生しないので、近隣に騒音をもたらすこともなく、また不法開放者に気付かれずに報知が可能となる。
【０００７】
好ましくは、前記打釦作動部は、打釦体が回転可能に設けられ、前記移動体の移動に伴って順次打釦体を回転動作させることにより、携帯電話の特定電話番号発信用ボタンを順次押すものである。
【発明を実施するための最良の形態】
【０００８】
以下、本発明の実施形態を図面にしたがって説明する。図１は、本発明の一実施形態に係る携帯電話を用いた防犯装置を示す斜視図である。本装置は、車両や家などの防犯対象のドアＤのような開閉体の内側近傍に配置されて、携帯電話１を保持した装置本体２と、ドアＤと装置本体２を接続する、例えば引きひものようなドア接続部３とを備えており、ドアＤの開放と連動して携帯電話１を発信させて報知するものである。なお、本装置は家の窓のような開閉体にも用いられる。
【０００９】
前記装置本体２は、携帯電話１を着脱自在に保持する電話保持部４、ドアＤとドア接続部３を介して接続される移動操作（引きレバー）部５、移動操作部５をガイドするガイド部６および打釦作動部７を備えている。電話保持部４は、使用する携帯電話１のメーカーおよび機種に応じて、長さ調整用に長手方向Ｘに移動可能なストッパ１１と、厚さ調整用に複数のスペーサ１２を有している。
【００１０】
移動操作部５は、前記ドアＤが開放されると、そのドア開放の引張力により、該ドアＤにドア接続部３を介して接続された移動体５ａが、装置本体２の側部に設けられたガイド部６にガイドされながら引張方向（長手方向）Ｘに移動される。この移動操作部５は移動体５ａの長手方向Ｘのほぼ中央部に、移動体５ａが引張方向Ｘに移動するに伴って、後述する打釦作動部７の被当接体１０ａ、１０ｂ、１０ｃに当接する凸状の当接体８を有する。また、移動体５ａの上下外端に蟻溝ａ２が設けられており、この移動操作部５は、上下内端に蟻ａ１が形成されたガイド部６にガイドされて外方に外れることなく安定して移動する。
【００１１】
打釦作動部７は、前記移動体５ａに連動して、予め携帯電話１の特定電話番号発信用ボタンα、β、γの位置と対向する位置になるように設けられた打釦体９を順次動作させて、該特定電話番号発信用ボタンα、β、γを順次押し、携帯電話１の特定電話番号を発信させる。
【００１２】
例えば、打釦作動部７は略棒状の形状であり、引張方向（長手方向）に沿って並べられた複数（例えば、３つ）の打釦作動部材７ａ、７ｂ、７ｃを有する。各打釦作動部材７ａ、７ｂ、７ｃは、装置本体２の上部に回転可能に両端部が取り付けられた軸体１７と、電話収納部４から外方に突出させた軸体１７の一端部に固定された凸状の被当接体１０ａ、１０ｂ、１０ｃと、電話収納部４に保持された携帯電話１の特定電話番号発信用ボタンα、β、γの上方位置に相対するように軸体１７の中間部に形成された押さえ片のような打釦体９ａ、９ｂ、９ｃとを備えている。
【００１３】
この例では、打釦作動部材が３つ設けられているが、使用する携帯電話１によっては２つや１つでもよい。また、打釦作動部材は、予め複数種類用意されており、使用する携帯電話１のメーカーおよび機種に応じて、適宜選択できるようになっている。
【００１４】
この打釦作動部７は、通常、被当接体１０ａ、１０ｂ、１０ｃの凸部が下向きで打釦体９ａ、９ｂ、９ｃが水平状態に保持されており、移動操作部５の当接体８の引張方向Ｘの移動に伴って、当接体８の凸部が順次各被当接体１０の凸部に当接した後にこれを上方向に回転させることにより、それぞれ打釦体９ａ、９ｂ、９ｃを下方向に９０°回転動作させて、その打釦体９ａ、９ｂ、９ｃが携帯電話１の特定電話番号発信用ボタンα、β、γを順次押し、携帯電話１の特定電話番号を発信させる。
【００１５】
なお、この例では、使用する携帯電話１のメーカーおよび機種に応じて、電話保持部４を調整可能とし、打釦作動部材を選択可能としているが、使用する携帯電話１のメーカーおよび機種ごとに所定の電話保持部４および打釦作動部材を設けるようにしてもよい。
【００１６】
上記構成を有する本装置の動作について、図２を用いて説明する。
車両の所有者や家人が一定時間以上、車両を離れたり家を留守にするときに、本装置がそのドアＤの内側近傍に以下のように設置される。例えば、本装置は、ドア不法開放者に気付かれないように、車両であればドアＤの内側近傍の座席下などに設置される。
【００１７】
まず、携帯電話１には予め発信させたい特定電話番号を登録しておく。そして、電話保持部４に当該携帯電話１を差し込んで固定する。このとき、図２（Ａ）のように、携帯電話１の特定電話番号発信用ボタンα、β、γの位置の上方で打釦作動部７の打釦体９ａ、９ｂ、９ｃが対向するように配置する。
【００１８】
この設置状態でドアＤが開放されると、図２（Ｂ）のように、このドア開放の引張力によってドアＤに接続された引きひも３が引っ張られて移動操作部５の当接体８が引張方向Ｘに移動する。
【００１９】
つぎに、図２（Ｃ）のように、移動操作部５の当接体８の引張方向Ｘの移動に伴って、該当接体８の凸部が順次各被当接体１０ａ、１０ｂ、１０ｃの凸部に当接した後にこれを上方向に回転させることにより、それぞれ打釦体９ａ、９ｂ、９ｃを下方向に９０°回転させる。この結果、各打釦体９ａ、９ｂ、９ｃが携帯電話１の特定電話番号発信用ボタンα、β、γを順次押し、携帯電話１の特定電話番号を発信させる。
【００２０】
こうして、本発明は、開閉体の開放の引張力によって携帯電話の特定電話番号発信用ボタンが順次押されて当該特定電話番号の電話をかけるので、開閉体が不法開放されたことを機械的作動により報知できる。したがって、従来のように電気制御を使用しないことから、取り付けが簡単で低コスト化が可能となる。また、大きな警告音を発生しないので、近隣に騒音をもたらすこともなく、また不法開放者に気付かれずに報知が可能となる。
【００２１】
なお、この実施形態では、１つの携帯電話を使用しているが、２つの携帯電話を使用して、１つを本装置に設置し、他の携帯電話をその受信用に用いるようにしてもよい。
【図面の簡単な説明】
【００２２】
【図１】本発明の一実施形態に係る携帯電話を用いた防犯装置を示す概略斜視図である。
【図２】（Ａ）は、図１の携帯電話を用いた防犯装置の動作を示す平面図、（Ｂ）、（Ｃ）はその側面図である。
【符号の説明】
【００２３】
１：携帯電話
２：装置本体
３：ドア接続部
５：移動操作部
５ａ：移動体
７：打釦作動部
９ａ、９ｂ、９ｃ：打釦体
D：開閉体（ドア）
α、β、γ：特定電話番号発信用ボタン
【図１】
2006228186.tif 000003
【図２】
2006228186.tif 000004